(57)【特許請求の範囲】
【請求項１】
機体吸込口と機体吹出口を対向して側面に設けた箱状の機体と、この機体内部に備えた遠心送風機とで構成され、前記遠心送風機は、前記機体吹出口に対向した吐出口と渦巻状のスクロールとケーシング吸込口を設けたケーシング側板を側面に備え、羽根車を前記ケーシング吸込口近傍に固定したモーターにより駆動する消音ボックス付送風機であって、前記機体の底面を開口した機体底開口部を備え、この機体底開口部にドレン水排出口を機体吹出口側に向けて備えたドレンパンを接続し、前記機体には、前記機体吸込口を設けた側面の前記機体の底面側と前記機体吹出口を設けた側面の前記機体の底面側とをわたすように、前記遠心送風機のケーシング側板を保持する断面Ｌ型形状の送風機保持台を固定し、前記ドレンパンには、ドレンパン底面に対し垂直な整流面を有する気流整流板を設け、前記送風機保持台の一つの面と前記気流整流板はともに、前記機体吸込口から前記機体吹出口へと向かう方向に沿うように配置したことを特徴とする消音ボックス付送風機。
【請求項２】
前記ドレン水排出口の上方５から２０ｍｍの位置に、このドレン水排出口の口径より大きい寸法の逆流防止板を前記ドレン水排出口の開口面と略平行に配置したことを特徴とする請求項１記載の消音ボックス付送風機。
【請求項３】
前記気流整流板は、断面Ｌ型形状とし、その一方の面をドレンパン底面に固定したことを特徴とする請求項１または２に記載の消音ボックス付送風機。
【請求項４】
前記気流整流板の前記機体吹出口側の端部と前記ドレンパンの前記ドレン水排出口側端部との間に隙間を設けたことを特徴とする請求項１から３のいずれか一項に記載の消音ボックス付送風機。
【請求項５】
前記気流整流板は、前記機体吹出口方向の端部を前記ケーシング吸込口の鉛直方向中心位置までとしたことを特徴とする請求項１から４いずれか一項に記載の消音ボックス付送風機。
【請求項６】
前記送風機保持台は、水平面の端部を遠心送風機の舌部方向に向けた上方へ曲げたことを特徴とする請求項１から５のいずれか一項に記載の消音ボックス付送風機。
【請求項７】
前記機体吸込口と対向した前記遠心送風機背面に吸音材を備え、前記吸音材の前記ドレンパン側の下部を前記遠心送風機の下部よりも上となる寸法としたことを特徴とする請求項１から６のいずれか一項に記載の消音ボックス付送風機。
【請求項８】
前記機体吸込口と対向した前記遠心送風機背面に吸音材を備え、前記機体吸込口と前記吸音材の距離が前記ドレンパンに向かって大きくなるように前記吸音材を斜めに配置したことを特徴とする請求項１から７のいずれか一項に記載の消音ボックス付送風機。
【請求項９】
前記気流整流板は、前記機体吸込口から前記機体吹出口を結ぶ前記機体の中心に対し略対称に２個配置したことを特徴とする請求項１から８のいずれか一項に記載の消音ボックス付送風機。
【請求項１０】
前記気流整流板は、前記機体吸込口から前記機体吹出口に向かって前記機体の側面方向に湾曲したことを特徴とする請求項９記載の消音ボックス付送風機。
【請求項１１】
前記送風機保持台と前記気流整流板を一体で形成して送風機保持・整流板とし、この送風機保持・整流板の整流面には、気流通過用の開口を設けたことを特徴とする請求項９または１０記載の消音ボックス付送風機。
【発明の詳細な説明】
【技術分野】
【０００１】
本発明は、換気送風機器など消音ボックス内部に送風機を内蔵して使用される消音ボックス付送風機に関するものである。
【背景技術】
【０００２】
従来、この種の消音ボックス付送風機としては、箱状の機体の底面に開口した数か所のドレン穴を設け、さらに底面にレール状の部材を固定し、レール状の部材に嵌合するようにドレンパンを備えたものが知られている（例えば、特許文献１参照）。
【０００３】
以下、その消音ボックス付送風機について、図６を参照しながら説明する。図６に示すように、機体吸込口１０１に吸込アダプター１０２と吸込側ダクト１０３を接続し、機体吹出口１０４に吹出アダプター１０５と吹出側ダクト１０６を接続して設置される箱状の機体１０７が設けられる。機体１０７の内部には、ケーシングとモーターとケーシング吸込口と羽根車を有した遠心送風機１０８が備えられている。機体底面１０９には、開口したドレン穴１１０が設けられ、ドレン穴１１０に対向してドレンパン１１１が配置されている。ドレンパン１１１には、ドレン水排出口１１２が配置され、機体底面１０９のドレン穴１１０がない部分にレール状の部材１１３が２本固定され、レール状の部材１１３にドレンパン１１１を嵌合させた構造となっている。
【０００４】
そして、遠心送風機１０８を運転すると、室内の空気は、吸込側ダクト１０３を通って、ケーシング吸込口１１４に向かい、遠心送風機１０８を介して吹出側ダクト１０６を通過し、室外に排気される。機体吸込口１０１から流入したドレン水は、ドレンパン１１１に設けられたドレン水排出口１１２を通り、ドレンパイプ１１５から排出される。
【先行技術文献】
【特許文献】
【０００５】
【特許文献１】特開２００５−９８６５３号公報
【発明の概要】
【発明が解決しようとする課題】
【０００６】
このような従来のドレンパンを備えた消音ボックス付送風機においては、機体吸込口１０１から流入したドレン水は、機体底面１０９に開口した数か所のドレン穴１１０を通過した後にドレンパン１１１に入り、さらにドレンパン１１１の傾斜によりドレン水排出口１１２に導かれて排水されることとなる。消音ボックス付送風機の換気能力を向上するために内蔵の遠心送風機１０８の風量を増大した場合、機体１０７内部の負圧は大きくなるためにドレン水排出口１１２からの気体の逆流１１６が増加してドレン水の排水性は悪くなる。従来構造ではその対策として、ドレン水の排水性を確保する目的で、機体底面１０９のドレン穴１１０をドレン水が流れる抵抗を低減するためにドレン穴１１０の数を増加する必要があり、さらにドレンパン１１１の傾斜に沿ってドレン水が流れやすくするためにドレンパン１１１の傾斜角度１１６を大きくする必要があった。しかし、そのような対策を行った場合、機体１０７内部の気流はドレン穴１１０により機体底面１０９の表面が円滑ではなくなるために気流の乱れが生じ易く乱流の原因となり、その結果として機体１０７内部の圧力損失が増大して風量が低減する。さらに、ドレンパンの傾斜角度１１６を大きくした分、ドレンパン１１１自体の高さ寸法が大きくなり、製品全体の高さ寸法が大きくなる原因ともなるという課題を有していた。
【０００７】
そこで本発明は、このような従来の課題を解決するものであり、ドレンパンの内部の気流を調整する構造を採用することで、内蔵の遠心送風機の舌部低昇圧領域まで気流をスムーズに流して風量を確保しつつ、かつ機体の高さ寸法を拡大することなく、ドレン水排出口にドレン水を導いてドレン水の排水性を向上させる消音ボックス付送風機を提供することを目的とする。
【課題を解決するための手段】
【０００８】
本発明の消音ボックス付送風機は、上記目的を達成するために、機体吸込口と機体吹出口を対向して側面に設けた箱状の機体と、この機体内部に備えた遠心送風機とで構成され、前記遠心送風機は、前記機体吹出口に対向した吐出口と渦巻状のスクロールとケーシング吸込口を設けたケーシング側板を側面に備え、羽根車を前記ケーシング吸込口近傍に固定したモーターにより駆動する消音ボックス付送風機であって、前記機体の底面を開口した機体底開口部を備え、この機体底開口部にドレン水排出口を機体吹出口側に向けて備えたドレンパンを接続し、前記機体には、前記機体吸込口を設けた側面の前記機体の底面側と前記機体吹出口を設けた側面の前記機体の底面側とをわたすように、前記遠心送風機のケーシング側板を保持する断面Ｌ型形状の送風機保持台を固定し、前記ドレンパンには、ドレンパン底面に対し垂直な整流面を有する気流整流板を設け、前記送風機保持台の一つの面と前記気流整流板はともに、前記機体吸込口から前記機体吹出口へと向かう方向に沿うように配置した構成としたものである。これにより所期の目的を達成するものである。
【発明の効果】
【０００９】
本発明によれば、機体吸込口と機体吹出口を対向して側面に設けた箱状の機体と、この機体内部に備えた遠心送風機とで構成され、前記遠心送風機は、前記機体吹出口に対向した吐出口と渦巻状のスクロールとケーシング吸込口を設けたケーシング側板を側面に備え、羽根車を前記ケーシング吸込口近傍に固定したモーターにより駆動する消音ボックス付送風機であって、前記機体の底面を開口した機体底開口部を備え、この機体底開口部にドレン水排出口を機体吹出口側に向けて備えたドレンパンを接続し、前記機体には、前記機体吸込口を設けた側面の前記機体の底面側と前記機体吹出口を設けた側面の前記機体の底面側とをわたすように、前記遠心送風機のケーシング側板を保持する断面Ｌ型形状の送風機保持台を固定し、前記ドレンパンには、ドレンパン底面に対し垂直な整流面を有する気流整流板を設け、前記送風機保持台の一つの面と前記気流整流板はともに、前記機体吸込口から前記機体吹出口へと向かう方向に沿うように配置したことにより、送風機保持台の一面と気流整流板の整流面に沿ってドレンパン内部に流入した気体が流れるため、ケーシング内部体積が小さいため羽根車での静圧昇圧率が低い部分とされている舌部低昇圧領域にて下方から上方に向かう気流が発生し、気流をブレード入口角方向に流入させることができるため、遠心送風機の風量を増大することができる。また、機体吸込口からの気流は整流面に沿って機体吹出口に向かって流れるため、気流に押されてドレン水が機体吹出口側に位置するドレン水排出口に向かって流れるので、風量を増大した場合に生じる機体内部の負圧の増大でのドレン水排出口からの気体の逆流に関わらず、ドレンパンの傾斜角度を大きくすることなくドレン水を円滑に排水できるという作用を有するので、風量を増大しつつ製品を薄型化しながらドレン水の排水性を良好にするという効果のある消音ボックス付送風機を提供することができる。
【図面の簡単な説明】
【００１０】
【図１】本発明の実施の形態１の消音ボックス付送風機の側面構成図
【図２】同消音ボックス付送風機の機体吹出口側から見た断面図
【図３】本発明の実施の形態２の消音ボックス付送風機の天面構成図
【図４】同消音ボックス付送風機の機体吹出口側から見た断面図
【図５】本発明の実施の形態３の消音ボックス付送風機の側面構成図
【図６】従来の消音ボックス付送風機の側面構成図
【発明を実施するための形態】
【００１１】
本発明の消音ボックス付送風機は、機体吸込口と機体吹出口を対向して側面に設けた箱状の機体と、この機体内部に備えた遠心送風機とで構成され、前記遠心送風機は、前記機体吹出口に対向した吐出口と渦巻状のスクロールとケーシング吸込口を設けたケーシング側板を側面に備え、羽根車を前記ケーシング吸込口近傍に固定したモーターにより駆動する消音ボックス付送風機であって、前記機体の底面を開口した機体底開口部を備え、この機体底開口部にドレン水排出口を機体吹出口側に向けて備えたドレンパンを接続し、前記機体には、前記機体吸込口を設けた側面の前記機体の底面側と前記機体吹出口を設けた側面の前記機体の底面側とをわたすように、前記遠心送風機のケーシング側板を保持する断面Ｌ型形状の送風機保持台を固定し、前記ドレンパンには、ドレンパン底面に対し垂直な整流面を有する気流整流板を設け、前記送風機保持台の一つの面と前記気流整流板はともに、前記機体吸込口から前記機体吹出口へと向かう方向に沿うように配置したものである。このような構成によれば、送風機保持台の一面と気流整流板の整流面に沿ってドレンパン内部に気体が流れ、ケーシング内部体積が小さいため羽根車での静圧昇圧率が低い部分とされている舌部低昇圧領域にて下方から上方に向かう気流が発生し、気流をブレード入口角方向に流入させることができるため、遠心送風機の風量を増大することができる。さらに、機体吸込口からの気流は整流面に沿って機体吹出口に向かって流れ、気流に押されてドレン水が機体吹出口側に位置するドレン水排出口に向かって流れるので、風量を増大した場合に生じる機体内部の負圧の増大でのドレン水排出口からの気体の逆流に関わらず、ドレンパンの傾斜角度を大きくすることなくドレン水を円滑に排水できるという作用を有する。すなわち、風量を増大しつつ製品を薄型化しながらドレン水の排水性を良好にすることができるという効果を奏する。        
【００１２】
また、前記ドレン水排出口の上方５から２０ｍｍの位置に、このドレン水排出口の口径より大きい寸法の逆流防止板を前記ドレン水排出口の開口面と略平行に配置したことにより、風量を増大した場合に生じる機体内部の負圧の増大でのドレン水排出口からの逆流した気体が逆流防止板に衝突し、ドレン水をドレン水排出口まで円滑に排水できる。すなわち、風量を増大しつつドレン水の排水性を良好にすることができるという効果を奏する。
【００１３】
また、前記気流整流板は、断面Ｌ型形状とし、その一方の面をドレンパン底面に固定したことにより、気流整流板が補強リブと同様の効果を発揮するため、ドレンパンの振動を抑え、振動に伴う騒音を低減することができ、また振動・騒音の低減に伴いドレンパンの板厚を薄くすることができるという作用を有する。すなわち、ドレンパンの薄板化により材料費低減と製品の軽量化が図れるという効果を奏する。
【００１４】
また、前記気流整流板の前記機体吹出口側の端部と前記ドレンパンの前記ドレン水排出口側端部との間に隙間を設けたことにより、ドレンパン内部に溜まったドレン水を気流整流板で妨げることがないため、隙間からドレン水をドレン排出口まで円滑に流すことができるという作用を有する。すなわち、ドレン水の排水性を良好にすることができるという効果を奏する。
【００１５】
また、前記気流整流板は、前記機体吹出口方向の端部を前記ケーシング吸込口の鉛直方向中心位置までとしたことにより、ドレンパン内部に流入した気体を舌部低昇圧領域に向かって流すことができながら、ドレンパンの機体吹出口側のドレン水排出口近傍は気流整流板がないため、ドレンパン全体のドレン水をドレン水排出口まで円滑に流すことができるという作用を有する。すなわち、風量を増大しつつドレン水の排水性を良好にすることができるという効果を奏する。
【００１６】
また、前記送風機保持台は、水平面の端部を遠心送風機の舌部方向に向けた上方へ曲げたことにより、ドレンパン内部に流入した気体を舌部低昇圧領域に向かって流すことができるという作用を有するので、風量を増大することができるという効果を奏する。
【００１７】
また、機前記機体吸込口と対向した前記遠心送風機背面に吸音材を備え、前記吸音材の前記ドレンパン側の下部を前記遠心送風機の下部よりも上となる寸法としたことにより、吸音材の下部に空間ができるため、機体吸込口より流入した遠心送風機背面に衝突する機体吸込口からの直線的な気流が吸音材の下部の空間を通ってドレンパン内部へ流れやすくなり、気流に押されてドレン水が機体吹出口側に位置するドレン水排出口に向かって流れるという作用を有するので、ドレン水の排水性を良好にすることができるという効果を奏する。
【００１８】
また、前記機体吸込口と対向した前記遠心送風機背面に吸音材を備え、前記機体吸込口と前記吸音材の距離が前記ドレンパンに向かって大きくなるように前記吸音材を斜めに配置したものであり、吸音材の下方に向かって空間が大きくできるため、機体吸込口より流入した遠心送風機背面に衝突する機体吸込口からの直線的な気流が吸音材の下方の空間を通ってドレンパン内部へ流れやすくなり、吸音材への油の付着を低減できる。また、気流に押されてドレン水が機体吹出口側に位置するドレン水排出口に向かって流れるという作用を有するので、ドレン水の排水性を良好にすることができるという効果を奏する。
【００１９】
また、前記気流整流板は、前記機体吸込口から前記機体吹出口を結ぶ前記機体の中心に対し略対称に２個配置したことにより、気流整流板と送風機保持台でドレンパン内部の風路が閉塞されることがなく、送風機保持台の一面と気流整流板の整流面に沿ってドレンパン内部に気体が流れる。そのため、ケーシング内部体積が小さいため羽根車での静圧昇圧率が低い部分とされている舌部低昇圧領域にて下方から上方に向かう気流が発生し、気流をブレード入口角方向に流入させることができるため、遠心送風機の風量を増大することができる。また気流に押されてドレン水が機体吹出口側に位置するドレン排出口に向かって流すことができるという作用を有する。すなわち、風量を増大しつつドレン水の排水性を良好にすることができるという効果を奏する。
【００２０】
また、前記気流整流板は、前記機体吸込口から前記機体吹出口に向かって前記機体の側面方向に湾曲させることにより、ドレンパン内部に流入した気体を舌部低昇圧領域に向かって流すことができるという作用を有する。すなわち、風量を増大することができるという効果を奏する。
【００２１】
また、前記送風機保持板と前記気流整流板を一体で形成して送風機保持・整流板とし、この送風機保持・整流板の整流面には、気流通過用の開口を設けたことにより、部品点数を少なく簡易化できる。また、整流面の開口を介して舌部低昇圧領域にて下方から上方に向かう気流が発生し、気流をブレード入口角方向に流入させることができるため、遠心送風機の風量を増大することができるという作用を有するので、構造を簡易化しながら、風量を増大することができるという効果を奏する。
【００２２】
以下、本発明の実施の形態について、図面を参照しながら説明する。
【００２３】
（実施の形態１）
図１は、本実施の形態による消音ボックス付送風機の側面断面図、図２は同じく機体吹出口２側から見た断面図である。
【００２４】
図１、図２に示すように、本実施の形態による消音ボックス付送風機は、機体吸込口１と機体吹出口２を箱状の機体３の対向する側面に設けている。機体３には、機体吸込口１に吸込側ダクト４を接続する吸込アダプター５、および機体吹出口２には、吹出側ダクト７を接続する吹出アダプター６を配している。機体３の内部には、機体吸込口１から機体吹出口２に至る風路を有し、その風路に遠心送風機８を備えている。遠心送風機８には、機体吹出口２に対向した吐出口と渦巻状のスクロール４１とケーシング吸込口４２を設けたケーシング側板２６を側面に備えている。羽根車４３はケーシング吸込口近傍に固定されたモーター４４により駆動される。機体３には、断面がＬ字型で、機体吸込口１を有する面と機体吹出口２を有する面とを連結する送風機保持台９が備えられている。遠心送風機８は、この送風機保持台９によって機体３に固定される。機体３の底面には、ドレン流出用の機体底開口部１０を備えている。機体３の下部には、機体底開口部１０から流出するドレンを受けるドレンパン１１が設けられている。このドレンパン１１には、ドレンを排水するドレン水排出口１２が吹出側に設けられている。さらに、ドレンパン１１には、ドレンパン１１の底面に対し垂直な整流面１４を有する気流整流板１３が設けられている。この気流整流板１３は機体吸込口１から機体吹出口２に向かう方向に配置する。
【００２５】
また、ドレン水排出口１２の上方５から２０ｍｍ（空間距離１５）の位置に、ドレン水排出口１２の口径より大きい寸法の逆流防止板１６を配置した構成とする。
【００２６】
また、気流整流板１３の断面はＬ型形状であり、Ｌ型形状の一面をドレンパン１１の底面に固定した構成とする。
【００２７】
また、図１、２に示すように、気流整流板１３のドレン水排出口１２側の端部は、ドレンパン１１のドレン水排出口１２側端部との間に隙間１７が設けられ、ドレン水の流れを妨げない構成とする。
【００２８】
上記構成により、ドレンパン内部に流入する気体は、送風機保持台９の一面と気流整流板１３の整流面に沿って流れる。送風機保持台９の一面に沿って流れるドレンパン上面気流１８は、機体吹出口２に向かって導かれ、遠心送風機８の舌部２１の近傍に到達する。舌部低昇圧領域２０は、ケーシング内部体積が小さいため羽根車での静圧昇圧率が低い部分とされている。この舌部低昇圧領域２０にて下方から上方に向かう気流が発生し、気流をブレード入口角方向に流入させることができるため、遠心送風機８の風量を増大することができる。さらに、気流整流板１３の整流面に沿って流れるドレンパン下面気流１９によって、気流に押されたドレン水が機体吹出口２側に位置するドレン水排出口１２に向かって流れるので、風量を増大した場合に生じる機体３内部の負圧の増大でのドレン水排出口１２からの気体の逆流２２に関わらず、ドレンパン傾斜角度２８を大きくすることなくドレン水を円滑に排水できる。
【００２９】
また、ドレン水排出口１２の付近に逆流防止板１６を設けることで、風量を増大した場合に生じる機体内部の負圧の増大に起因するドレン水排出口１２からの逆流２２は、逆流防止板１６に衝突するため、ドレン水のドレン水排出口１２に向かう流れを逆流２２によって妨げることなく、ドレン水をドレン水排出口１２まで円滑に排水できる。
【００３０】
また、気流整流板１３の断面をＬ型形状とすることにより、気流整流板１３が補強リブと同様の効果を発揮するため、ドレンパン１１の振動を抑えることができ、振動に伴う騒音を低減することができる。さらに、振動、騒音の低減に伴いドレンパン１１の板厚を薄くすることができる。
【００３１】
また、気流整流板１３とドレン水排出口側のドレンパン端部との間に隙間１７を設けることにより、ドレンパン内部に溜まったドレン水を気流整流板１３で妨げることがないため、ドレン水は隙間１７からドレン水排出口１２に向かって流れ、ドレン水を円滑に流すことができる。
【００３２】
このように本発明の実施の形態１の消音ボックス付送風機によれば、風量を増大しつつ製品を薄型化しながらドレン水の排水性を良好にすることができ、さらに、振動・騒音を低減しつつドレンパンを薄板化し、材料費低減と製品の軽量化が図れる。
【００３３】
（実施の形態２）
図３および図４に示すように、気流整流板１３は、遠心送風機８のケーシング吸込口の舌部側２３へ向かう方向へ湾曲２４して方向を変えた構成とする。
【００３４】
また、気流整流板１３の機体吹出口２側の端部は、遠心送風機８のケーシング吸込口の鉛直方向の略中心（図３における中心位置２５）に位置している。
【００３５】
また、２個の気流整流板１３を遠心送風機８のケーシング側板の真下からずらして配置した構成とする。
【００３６】
また、送風機保持台９の水平面端部２９は遠心送風機８の舌部２１の方向、すなわち上方へ曲げた構成とする。
【００３７】
上記構成により、ドレンパン１１内部に流入した気体は、舌部側２３へ向かう方向へ湾曲２４させた気流整流板１３に沿って流れ、遠心送風機８の舌部２１の近傍に到達する。そのため、気流は、よりスムーズに舌部低昇圧領域２０に向かって流れ、気流をブレード入口角方向に流入させることができ、遠心送風機８の風量を増大することができる（図３に示す気流Ａ３０）。
【００３８】
また、ドレンパン１１の機体吹出口２側のドレン水排出口１２の近傍には、気流整流板１３がないため、ドレンパン１１内部に流入した気体を舌部低昇圧領域２０に向かって流しつつ、ドレンパン１１全体のドレン水をドレン水排出口１２まで円滑に流すことができる。
【００３９】
また、気流整流板１３を２個とし、遠心送風機８のケーシング側板２６の真下からずらして配置（図３におけるズレ２７）したことにより、気流整流板１３と送風機保持台９でドレンパン１１内部の風路が閉塞されることがなく、送風機保持台９の一面と気流整流板１３の整流面に沿ってドレンパン１１内部に流入した気体が流れる。送風機保持台９と気流整流板１３との間を通った気体は、遠心送風機８の吸込口に向かうため、舌部低昇圧領域２０にて下方から上方に向かう気流Ｂ３２となり、気流をブレード入口角方向に流入させ、遠心送風機８の風量を増大することができる。また、気流に押されてドレン水が機体吹出口２側に位置するドレン水排出口１２に向かって流すことができる。
【００４０】
また、送風機保持台９の水平面端部２９を遠心送風機８の舌部方向に向けた上方へ曲げたことで、気流は舌部低昇圧領域２０にて下方から上方に向かって流れやすくなるため、よりスムーズに舌部低昇圧領域２０に流入させることがき、風量を増大することができる。
【００４１】
このように本発明の実施の形態２の消音ボックス付送風機によれば、風量を増大しつつドレン水の排水性を良好にすることができる。
【００４２】
（実施の形態３）
図５に示すように、遠心送風機背面３３には、吸音材３４を備え、その吸音材３４のドレンパン１１側の下部（ドレンパン側下部３５）は遠心送風機の下部（送風機側下部３６）よりも上となる寸法とした構成とする。
【００４３】
また、吸音材３４を、機体吸込口と吸音材の距離（距離Ｂ３７）がドレンパン１１に向かって大きくなるように斜めに配置した構成とする。
【００４４】
また、気流を整流する作用と送風機を保持する作用とを有するように、送風機保持・整流板３８を、遠心送風機８を支え、ドレンパン１１に鉛直な整流面を有したものとする。送風機保持・整流板３８の整流面には、気流通過用の開口３９を設けた構成とする。
【００４５】
上記構成により、吸音材３４のドレンパン側下部３５を送風機側下部３６よりも上となる寸法としたため、吸音材３４の下部に空間ができる。機体吸込口１より流入した気体は、遠心送風機背面３３の吸音材３４に衝突して下向きの気流（気流Ｃ４０）となり、吸音材３４の下方の空間を通ってドレンパン内部へ流れやすくなる。ため、気流に押されてドレン水機体吹出口側に位置するドレン水排出口１２に向かって流れる。
【００４６】
また、機体吸込口１と吸音材３４の距離３７がドレンパン１１に向かって大きくなるように吸音材３４を斜めに配置したため、吸音材３４の下方に向かって空間を大きくできる。そのため、機体吸込口１より流入した気体が、遠心送風機背面３３に衝突して下向きの気流４０となりやすく、よりスムーズに吸音材３４の下方の空間を通ってよりドレンパン内部へ流れやすくなり、吸音材３４への油の付着を低減できる。また、気流に押されてドレン水が機体吹出口２側に位置するドレン水排出口１２に向かって流れる。
【００４７】
また、送風機保持・整流板３８の整流面に気流通過用の開口３９を設けたことにより、部品点数を少なく簡易化できる。また、整流面の開口を介して舌部低昇圧領域２０にて下方から上方に向かう気流が発生し、気流をブレード入口角方向に流入させることができるため、遠心送風機８の風量を増大することができる。また、一体で形成したことにより、送風機保持・整流板３８におけるドレンパン１１の補強材としての強度も上がるため、ドレンパン１１の振動を抑えることができ、振動に伴う騒音を低減することができ、さらに、振動、騒音の低減に伴いドレンパン１１の板厚を薄くすることができることは言うまでもない。
【００４８】
このように本発明の実施の形態３の消音ボックス付送風機によれば、ドレン水の排水性を良好にすることができ、また、構造を簡易化しながら、風量を増大することができる。さらに、振動・騒音を低減しつつドレンパン１１を薄板化し、材料費低減と製品の軽量化が図れる。
【産業上の利用可能性】
【００４９】
本発明にかかる消音ボックス付送風機は、風量を確保しつつ、かつ機体の高さ寸法を拡大することなく、ドレン水の排水性を高めることを可能とするものであるので、送風や気流冷却を用いた送風設備機器の用途等にも適用できる。
【符号の説明】
【００５０】
１    機体吸込口
２    機体吹出口
３    機体
８    遠心送風機
９    送風機保持台
１０  機体底開口部
１１  ドレンパン
１２  ドレン水排出口
１３  気流整流板
１４  整流面
１６  逆流防止板
１７  隙間
２３  （ケーシング吸込口の）舌部側
２４  湾曲
２５  （ケーシング吸込口の）中心位置
２６  ケーシング側板
２９  水平面端部
３３  遠心送風機背面
３４  吸音材
３５  ドレンパン側下部
３６  送風機側下部
３８  送風機保持・整流板
３９  開口
【図１】
0005434559.tif 000002
【図２】
0005434559.tif 000003
【図３】
0005434559.tif 000004
【図４】
0005434559.tif 000005
【図５】
0005434559.tif 000006
【図６】
0005434559.tif 000007